(57)【要約】【課題】ユーザにとって真に必要なときのみアラーム報知を行う電話機器を提供する。【解決手段】本発明の電話機器は、アラーム機能を備える電話機器であって、検出対象となる着信イベントを設定するイベント設定手段と、前記着信イベントを検出するイベント検出手段と、アラーム報知を実行する報知条件を設定する報知条件設定手段と、前記着信イベントの検出結果と前記報知条件とを参照してアラーム報知の要否を判定する判定手段と、前記判定結果を参照して、アラーム報知の実行を制御するアラーム報知制御手段とを備える。【選択図】  図１
2007028083.tif 000002
【特許請求の範囲】
【請求項１】
アラーム機能を備える電話機器であって、
検出対象となる着信イベントを設定するイベント設定手段と、
前記着信イベントを検出するイベント検出手段と、
アラーム報知を実行する報知条件を設定する報知条件設定手段と、
前記着信イベントの検出結果と前記報知条件とを参照してアラーム報知の要否を判定する判定手段と、
前記判定結果を参照して、アラーム報知の実行を制御するアラーム報知制御手段と、
を備える電話機器。
【請求項２】
テキストを入力するテキスト入力手段と、
前記テキストを記録するテキスト記録手段と、
前記テキストを表示するテキスト表示手段と、
前記判定結果を参照して、前記テキスト表示手段に前記テキストを表示する制御を行うテキスト表示制御手段と、
を備える請求項１に記載の電話機器。
【請求項３】
電話番号を入力する電話番号入力手段と、
前記電話番号を記録する電話番号記録手段と、
前記判定結果を参照して、前記電話番号に自動発信する自動発信制御手段と、
を備える請求項１または２に記載の電話機器。
【請求項４】
音声を録音する音声録音手段と、
前記自動発信を実行するとき、録音した前記音声を前記電話番号先に送信する録音音声送信手段とを備える請求項３に記載の電話機器。
【請求項５】
アラーム報知の設定日時到来時に前記電話番号を表示する電話番号表示手段と、
前記電話番号が表示されているときに発信ボタンが押下されたことを検知して前記電話番号に発信する発信制御手段と、
を備える請求項１または２に記載の電話機器。
【請求項６】
電子メールを送信する宛先を入力する宛先入力手段と、
前記宛先を記録する宛先記録手段と、
メール本文を入力するメール本文入力手段と、
前記メール本文を記録するメール本文記録手段と、
前記判定結果を参照して、前記宛先に前記メール本文を自動送信する制御を行うメール送信制御手段と、
を備える請求項１または２に記載の電話機器。
【発明の詳細な説明】
【技術分野】
【０００１】
本発明は、アラーム機能を備える電話機器に関する。
【背景技術】
【０００２】
従来、携帯電話端末、固定電話機、ＰＤＡ、パソコン等の情報端末機器にはアラーム機能を搭載するものが多くあり、広く利用されている。例えば、携帯電話端末のアラーム機能を目覚ましとして利用するユーザがいる。
【０００３】
また、アラーム機能を搭載する電話機器のなかには、アラームを設定する用件について音声等によるメモを記録しておき、アラーム報知の際にそのメモを再生する電話機器がある。また、予め電話番号を設定しておき、アラーム報知の際にその電話番号に自動発呼する電話機器がある。
【０００４】
このようなアラーム機能は目覚まし用としてだけではなくスケジュール管理用として利用することできる。
【特許文献１】特開２０００−９２２３１号公報
【特許文献２】特開２０００−２５３１０９号公報
【発明の開示】
【発明が解決しようとする課題】
【０００５】
しかしながら、従来の電話機器のアラーム機能は、アラーム報知を実行開始する条件として開始時刻のみを設定するものであって、その他の条件を設定することはできず、すなわち、時刻に固定したアラーム設定しかできなかった。
したがって、例えば、ユーザが相手からの連絡待ちの用件を忘れないようにアラーム設定を行った場合、アラーム報知の開始時刻が経過する前に相手側から着信が有り用件が済んでいたとしても、設定された開始時刻になると無駄にアラーム報知が実行されていた。これを防ぐためにはユーザは自らアラーム設定を解除する必要があり不便であった。
【０００６】
本発明は、ユーザにとって真に必要なときのみアラーム報知を行う電話機器を提供することを目的とする。
【課題を解決するための手段】
【０００７】
本発明の電話機器は、アラーム機能を備える電話機器であって、検出対象となる着信イベントを設定するイベント設定手段と、前記着信イベントを検出するイベント検出手段と、アラーム報知を実行する報知条件を設定する報知条件設定手段と、前記着信イベントの検出結果と前記報知条件とを参照してアラーム報知の要否を判定する判定手段と、前記判定結果を参照して、アラーム報知の実行を制御するアラーム報知制御手段とを備える。
【０００８】
この構成により、着信イベントと報知条件とを参照した判定結果によってアラーム報知の実行が制御されるので無駄なアラーム報知動作を防ぐことができる。
【０００９】
また、本発明の電話機器は、テキストを入力するテキスト入力手段と、前記テキストを記録するテキスト記録手段と、前記テキストを表示するテキスト表示手段と、前記判定結果を参照して、前記テキスト表示手段に前記テキストを表示する制御を行うテキスト表示制御手段とを備える。
【００１０】
この構成により、アラーム報知を実行する際に、アラームの目的をユーザに通知することができる。
【００１１】
また、本発明の電話機器は、電話番号を入力する電話番号入力手段と、前記電話番号を記録する電話番号記録手段と、前記判定結果を参照して、前記電話番号に自動発信する自動発信制御手段とを備える。
【００１２】
この構成により、音声を発信することがアラームの目的だった場合に、目的の遂行を確実に行うことができる。
【００１３】
また、本発明の電話機器は、音声を録音する音声録音手段と、前記自動発信を実行するとき、録音した前記音声を前記電話番号先に送信する録音音声送信手段とを備える。
【００１４】
この構成により、ユーザが予め用件を録音しておくことで、アラーム報知の実行時にユーザの動作指示を受けることなく用件を発信することができる。
【００１５】
また、本発明の電話機器は、アラーム報知の設定日時到来時に前記電話番号を表示する電話番号表示手段と、前記電話番号が表示されているときに発信ボタンが押下されたことを検知して前記電話番号に発信する発信制御手段とを備える。
【００１６】
この構成により、音声を発信することがアラームの目的だった場合に、ユーザの通話の準備が整う前に発信動作が開始してしまうことを防止することができ、ユーザが通話の必要性を確認した上で発信動作を開始することができる。
【００１７】
また、本発明の電話機器は、電子メールを送信する宛先を入力する宛先入力手段と、前記宛先を記録する宛先記録手段と、メール本文を入力するメール本文入力手段と、前記メール本文を記録するメール本文記録手段と、前記判定結果を参照して、前記宛先に前記メール本文を自動送信する制御を行うメール送信制御手段とを備える。
【００１８】
この構成により、メールを発信することがアラームの目的だった場合に、ユーザの動作指示を受けることなくアラームの目的を遂行することができる。
【発明の効果】
【００１９】
本発明の電話機器によれば、ユーザにとって真に必要なときのみアラーム報知を行うことができる。
【発明を実施するための最良の形態】
【００２０】
以下、本発明に係る実施の形態について図面を参照して詳細に説明する。
【００２１】
（実施の形態１）
図１は、本実施の形態１の電話機器１の概略構成図である。
【００２２】
図１に、本実施の形態１の電話機器１の概略構成図を示す。本実施の形態１の電話機器１は、電話機器全体を制御する制御部２０と、イベント設定部１０１と、検出開始時刻設定部１０２と、検出完了時刻設定部１０３と、アラーム時刻設定部１０４と、条件設定部１０５と、検出開始タイマー部１０６と、イベント検出部１０７と、検出結果記憶部１０８と、検出完了タイマー部１０９と、アラームタイマー部１１０と、判定部１１１と、アラーム部１１２とを備える。
【００２３】
イベント設定部１０１は、イベント検出部１０７が検出する対象の着信内容（着信イベント）を設定する。例えば、音声呼び出しによる着信か、どの番号からの着信か、メールの着信か、どのアドレスからの着信か、メールがどんな文字列を含んでいるか等を項目として設定する。
【００２４】
検出開始時刻設定部１０２は、イベント検出部１０７が着信イベントを検出する期間の開始時刻（ｔ１）を設定する。また、検出完了時刻設定部１０３は、イベント検出部１０７が着信イベントを検出する期間の完了時刻（ｔ２）を設定する。以下、時刻ｔ１から時刻ｔ２までの期間をイベント検出期間という。
【００２５】
検出開始時刻設定部１０２と検出完了時刻設定部１０３とによる時刻設定は、年月日時分で指定することができる。また、毎日の何時、平日の何時、毎週何曜日の何時、或いは現在時刻から何時間後といった時刻設定や、現在時刻からアラーム時刻設定部１０４で設定した時刻までといった時刻設定も可能である。
【００２６】
アラーム時刻設定部１０４は、アラーム部１１２による報知を開始する時刻（ｔ３）を設定する。なお、実際に設定した時刻に報知を開始するか否かは、後述する判定部１１１の判定結果による。この時刻設定は、年月日時分で指定するほか、毎日の何時、平日の何時、毎週何曜日の何時といった指定も可能である。
【００２７】
条件設定部１０５は、イベント検出部１０７が着信イベントを検出した場合にアラーム部１１２に報知をさせるのか、または、着信イベントを検出しなかった場合にアラーム部１１２に報知をさせるのかについて報知条件を設定する。
【００２８】
検出開始タイマー部１０６は、検出開始時刻設定部１０２で設定した時刻ｔ１を経過したかを検出する。時刻ｔ１を経過した場合は、イベント検出部１０７を起動して着信イベントの検出を開始する。
【００２９】
イベント検出部１０７は、イベント設定部１０１で設定した音声呼あるいはメールの着信を検出する。設定した着信イベント（例えば、特定の番号からの着信）を検出した場合は、その検出した結果を検出結果記憶部１０８に記憶する。
【００３０】
検出結果記憶部１０８は、上述のように検出期間内に着信イベントが検出されたか否かを検出結果として記憶する。
【００３１】
検出完了タイマー部１０９は、検出完了時刻設定部１０３で設定した時刻ｔ２を経過したかを検出する。設定した時刻ｔ２を経過した場合は、イベント検出部１０７の動作を停止して着信イベントの検出を終了する。
【００３２】
アラームタイマー部１１０は、アラーム時刻設定部１０４で設定した時刻ｔ３を経過したかを検出する。
【００３３】
判定部１１１は、検出結果記憶部１０８に記憶された検出結果と条件設定部１０５で設定した報知条件とを参照して、時刻ｔ３を経過する際に実際にアラームを報知するのか否かを判定する。
【００３４】
制御部２０は、判定部１１１の判定結果を参照してアラーム報知の実行を制御する。
【００３５】
アラーム部１１２は、判定部１１１の判定結果を受けた制御部２０により制御されてアラームを報知する。
【００３６】
次に、本実施形態の電話機器１の動作例について説明する。図８は電話機器１の動作例を示すフローチャートである。このフローチャートは、電話機器１がアラーム設定をし、実際にアラーム報知が実行するまでの処理手順を示している。
【００３７】
まず、ステップＳ１からＳ５においてアラーム設定を行う。
ステップＳ１において、検出開始時刻設定部１０２はイベント検出部１０７が着信イベントの検出を開始する時刻ｔ１を設定する。これは特定の年月日時分を指定するほか、毎日の何時、平日の何時、毎週何曜日の何時、あるいは現在時刻から、といったような指定も可能とする。設定内容はユーザが直接入力するほか、スクリプトによって入力することも考えられる。
【００３８】
ステップＳ２において、検出完了時刻設定部１０３はイベント検出部１０７が着信イベントの検出を終了する時刻ｔ２を設定する。これは特定の年月日時分を指定するほか、毎日の何時、平日の何時、毎週何曜日の何時、あるいは現在時刻から、といったような指定も可能とする。設定内容はユーザが直接入力するほか、スクリプトによって入力することも考えられる。
【００３９】
ステップＳ３において、イベント検出部１０７が検出すべき着信イベントの内容を設定する。まず、検出の対象が音声呼の着信か、メールの着信かを決定する。音声呼ならば検出すべき着信の電話番号を設定する。着信の電話番号としては特定の番号以外にも公衆電話や非通知着信やワイルドカードなども含まれる。ここで、検出すべき着信イベントとして電話番号Ａからの着信（着信Ａ）を設定したとする。
【００４０】
なお、メール着信ならば検出すべきメールの差出人アドレスを設定する。差出人アドレスには特定のメールアドレスの他、ドメインのみの指定やワイルドカードなども含まれる。次に検出すべきメール題名を設定する。メール題名には完全一致の文字列を設定する他、メール題名に含まれるべき文字列やワイルドカードなども含まれる。次に検出すべきメール本文を設定する。メール本文には完全一致の文字列を設定する他、メール題名に含まれるべき文字列やワイルドカードなども含まれる。
【００４１】
以上、ステップＳ３で設定する各内容はユーザが直接入力するほか、スクリプトによって入力することも考えられる。
【００４２】
ステップＳ４において、イベント検出部１０７が着信Ａを検出した場合にアラームを発生させるのか、検出しなかった場合にアラームを発生させるのかを報知条件として設定する。設定内容はユーザが直接入力するほか、スクリプトによって入力することも考えられる。
【００４３】
ステップＳ５において、アラーム部１１２がアラームを発生すべき時刻ｔ３を設定する。実際にアラームが発生するかどうかは、判定部１１１の判定結果による。これは特定の年月日時分を指定するほか、毎日の何時、平日の何時、毎週何曜日の何時、といったような指定も可能とする。設定内容はユーザが直接入力するほか、スクリプトによって入力することも考えられる。
【００４４】
ステップＳ１からステップＳ５の設定は順不同であり、スクリプトによって一括設定することも想定される。
【００４５】
ステップＳ６において、検出開始タイマー部１０６は検出開始時刻設定部１０２に設定された時刻ｔ１が経過することを監視する。
【００４６】
ステップＳ７において、イベント検出部１０７は何らかの着信がないかどうかを監視する。何らかの着信があった場合（Ｓ７―Ｙｅｓ）、ステップＳ８においてステップＳ７で検出した着信イベントがイベント設定部１０１で設定した着信Ａに合致するものであったかどうかをイベント検出部１０７が判定する。
【００４７】
ステップＳ８の判定の結果、ステップＳ７で検出した着信がイベント設定部１０１で設定した着信Ａに合致するものであった場合（Ｓ８−Ｙｅｓ）、ステップＳ９において検出結果記憶部１０８に検出結果ありと記憶する。この場合、検出完了時刻を判定することなくステップＳ１１へ進む。
【００４８】
ステップＳ７において着信Ａが検出できなかった場合（Ｓ７−Ｎｏ）、ステップＳ１０において、検出完了タイマー部１０６が検出完了時刻設定部１０２に設定された時刻ｔ２が経過したことを検出するまでの間ステップＳ７〜ステップＳ１０を繰り返す。
【００４９】
ステップＳ１１において、アラームタイマー部１０９はアラーム時刻設定部１０４に設定された時刻ｔ３が経過することを監視する。
【００５０】
ステップＳ１２において、判定部１１１は条件設定部１０５で設定された報知条件と検出結果記憶部１０８に記憶された検出結果が一致するかどうか判定する。
【００５１】
ステップＳ１２において前記内容が一致した場合（Ｓ１２−Ｙｅｓ）、ステップＳ１３においてアラームを発生させ、処理を終了する。
【００５２】
ステップＳ１２において前記内容が一致しなかった場合（Ｓ１２−Ｎｏ）、アラームを発生させるための条件が成立しなかったとみなし、アラームを発生させずに処理を終了する。
【００５３】
（実施の形態２）
次に、図２は実施の形態２にかかる電話機器の構成例を示すブロック図である。電話機器２はこの電話機器全体を制御する制御部２０、イベント設定部１０１、検出開始時刻設定部１０２、検出完了時刻設定部１０３、アラーム時刻設定部１０４、条件設定部１０５、イベント検出部１０７、検出結果記憶部１０８、アラームタイマー部１１０、判定部１１１、アラーム部１１２、時計部１１３の各部を有して構成される。
【００５４】
イベント設定部１０１は、イベント検出部１０７で検出する着信の内容を設定する。例えば、音声呼び出しによる着信か、どの番号からの着信か、メールの着信か、どのアドレスからの着信か、メールがどんな文字列を含んでいるか等を検出すべき着信イベントとして設定する。
【００５５】
検出開始時刻設定部１０２は、イベント検出部１０７が着信イベントを検出する期間の開始時刻（ｔ１）を設定する。また、検出完了時刻設定部１０３は、イベント検出部１０７が着信イベントを検出する期間の完了時刻（ｔ２）を設定する。
【００５６】
検出開始時刻設定部１０２と検出完了時刻設定部１０３とによる時刻設定は、年月日時分で指定することができる。また、毎日の何時、平日の何時、毎週何曜日の何時、或いは現在時刻から何時間後といった時刻設定や、現在時刻からアラーム時刻設定部１０４で設定した時刻までといった時刻設定も可能である。
【００５７】
アラーム時刻設定部１０４は、アラーム部１１２による報知が開始する時刻（ｔ３）を設定する。なお、実際に設定した時刻に報知を開始するか否かは、後述する判定部１１１の判定結果による。この時刻設定は、年月日時分で指定するほか、毎日の何時、平日の何時、毎週何曜日の何時といった指定も可能である。
【００５８】
条件設定部１０５は、イベント検出部１０７が着信イベントを検出した場合にアラーム部１１２に報知をさせるのか、または、着信イベントを検出しなかった場合にアラーム部１１２に報知をさせるのかについて報知条件を設定する。
【００５９】
イベント検出部１０７では、イベント設定部１０１で設定した音声呼あるいはメールの着信があるかどうかを検出する。もし、設定された着信イベントを検出した場合、そのときの時刻を時計部１１３から読み出し、その時間が検出開始時刻設定部１０２に記憶された時刻から検出完了時刻設定部１０３に記憶された時刻の間にあるか確認し、間にあった場合には検出した結果を検出結果記憶部１０８に記憶する。
【００６０】
検出結果記憶部１０８では、検出開始時刻設定部１０２に設定された時刻ｔ１から検出完了時刻設定部１０３に設定された時刻ｔ２までの間にイベント設定部１０１で設定された着信イベントをイベント検出部１０７が検出したかどうかを記憶する。
【００６１】
アラームタイマー部１１０では、アラーム時刻設定部１０４に設定された時刻ｔ３を経過したかどうかを検出する。
判定部１１１では、検出結果記憶部１０８に記憶された結果と、条件設定部１０５で設定した報知条件から実際にアラームを発生させるかどうかを決定する。
【００６２】
アラーム部１１２では、判定部１１１の判定結果でアラームを発生させることが決定されたときにアラームを発生する。
【００６３】
次に、本実施形態の電話機器２の動作例について説明する。図４は電話機器２の動作例を示すフローチャートである。このフローチャートは、電話機器２がアラームを設定し、実際にアラームを発生させるまでの処理手順を示している。
【００６４】
まず、ステップＳ１からＳ５においてアラームの設定を行う。
ステップＳ１において、検出開始時刻設定部１０２にイベント検出部１０７で着信イベントを検出すべき時間の開始時刻ｔ１を設定する。これは特定の年月日時分を指定するほか、毎日の何時、平日の何時、毎週何曜日の何時、あるいは現在時刻から、といったような指定も可能とする。設定内容はユーザが直接入力するほか、スクリプトによって入力することも考えられる。
【００６５】
ステップＳ２において、検出完了時刻設定部１０３にイベント検出部１０７で着信イベントを検出すべき時間の完了時刻ｔ２を設定する。これは特定の年月日時分を指定するほか、毎日の何時、平日の何時、毎週何曜日の何時、あるいは現在時刻から、といったような指定も可能とする。設定内容はユーザが直接入力するほか、スクリプトによって入力することも考えられる。
【００６６】
ステップＳ３においてイベント検出部１０７で検出すべき着信イベントを設定する。まず、検出すべき着信が音声呼の着信か、メールの着信かを決定する。音声呼ならば検出すべき着信の電話番号を設定する。着信の電話番号としては特定の番号以外にも、公衆電話や非通知着信やワイルドカードなども含まれる。ここで、検出すべき着信イベントとしてメールアドレスＢからの着信（着信Ｂ）を設定したとする。
【００６７】
以上、ステップＳ３で設定する各内容はユーザが直接入力するほか、スクリプトによって入力することも考えられる。
【００６８】
ステップＳ４においてイベント検出部１０７が着信Ｂを検出した場合にアラームを発生させるのか、検出しなかった場合にアラームを発生させるのか判定部１１１で判定するための報知条件を設定する。設定内容はユーザが直接入力するほか、スクリプトによって入力することも考えられる。
【００６９】
ステップＳ５においてアラーム部１１２でアラームを発生すべき時刻ｔ３を設定する。実際にアラームが発生するかどうかは、判定部１１１の判定結果による。これは特定の年月日時分を指定するほか、毎日の何時、平日の何時、毎週何曜日の３何時、といったような指定も可能とする。設定内容はユーザが直接入力するほか、スクリプトによって入力することも考えられる。
【００７０】
ステップＳ１からステップＳ５の設定は順不同であり、スクリプトによって一括設定することも想定される。
【００７１】
ステップＳ６においてイベント検出部１０７が何らかの着信がないかどうかを監視する。
【００７２】
何らかの着信があった場合（Ｓ６−Ｙｅｓ）、ステップＳ７においてステップＳ６で検出した着信がイベント設定部１０１で設定した着信Ｂに合致するものであったかどうかをイベント検出部１０７が判定する。
【００７３】
ステップＳ７の判定の結果、ステップＳ６で検出した着信がイベント設定部１０１で設定した着信Ｂに合致するものであった場合（Ｓ７−Ｙｅｓ）、その着信が発生した時刻ｔ４を時計部１１３から確認する。
【００７４】
ステップＳ８において、時計部１１３で確認した時刻ｔ４が検出開始時刻設定部１０２に記憶された時刻ｔ１から検出完了時刻設定部１０３に設定された時刻ｔ２までの間にあるかどうかを確認する。確認した時刻ｔ４が前記設定時刻の間になかった場合（Ｓ８−Ｎｏ）、何もすることなくステップＳ１０へと処理を進める。
【００７５】
確認した時刻ｔ４が前記設定時刻の間にあった場合（Ｓ８−Ｙｅｓ）、ステップＳ９において検出結果記憶部１０８に検出結果ありと記憶する。
【００７６】
ステップＳ１０において、アラームタイマー部１１０がアラーム時刻設定部１０４に設定された時刻ｔ３が経過したことを検出するまでの間、ステップＳ６〜ステップＳ１０を繰り返す（Ｓ１０−Ｎｏ）。
【００７７】
ステップＳ１０において、アラームタイマー部１０９がアラーム時刻設定部１０４に設定された時刻ｔ３が経過することを検出した場合（Ｓ１０−Ｙｅｓ）、ステップＳ１１において判定部１１１は条件設定部１０５で設定された報知条件と検出結果記憶部１０８に記憶された検出結果が一致するかどうか判定する。
【００７８】
ステップＳ１１において、判定の結果、検出結果が報知条件を満たす場合は（Ｓ１１−Ｙｅｓ）、ステップＳ１２においてアラームを発生させ、処理を終了する。ステップＳ１１において報知条件を満たさなかった場合には（Ｓ１１−Ｎｏ）、アラームを発生させるための条件が成立しなかったとみなし、アラームを発生させずに処理を終了する。
【００７９】
（実施の形態３）
次に、図３に実施の形態３にかかる電話機器の構成例を示すブロック図を示す。図３において、本実施形態の電話機器３は、例えば一般の電話システムに相当するものであり、電話機器１または電話機器２にテキスト入力部１５１、テキスト記憶メモリ１５２、テキスト表示部１５３を具備した構成となっている。
【００８０】
テキスト入力部１５１ではアラーム部１１２でアラームを発生させると同時にテキスト表示部１５３で表示させるテキストを設定する。設定内容はユーザが直接入力するほか、スクリプトによって入力することも考えられる。設定されたテキストはテキスト記憶メモリ１５２に記憶される。
【００８１】
テキスト表示部１５３では、アラーム部１１２でアラームを発生させると同時にテキスト記憶メモリ１５２に記憶されたテキストを表示する。
本実施の形態により、ユーザがあらかじめアラームの用件を設定し、アラーム発生時にその用件を確認することが出来るようになる。
【００８２】
（実施の形態４）
次に、図４に実施の形態４にかかる電話機器の構成例を示すブロック図を示す。図４において、本実施形態の電話機器４は、例えば一般の電話システムに相当するものであり、かつ電話機器１または電話機器２に番号入力部１５４、番号記憶メモリ１５５、電話発信部１５６を具備した構成となっている。
【００８３】
番号入力部１５４ではアラーム部１１２でアラームを発生させると同時に電話発信部１５６が発信する電話番号を設定する。設定内容はユーザが直接入力するほか、スクリプトによって入力することも考えられる。設定された番号は番号記憶メモリ１５５に記憶される。
【００８４】
電話発信部１５６では、アラーム部１１２でアラームを発生させると同時に番号記憶メモリ１５５に記憶された番号に発信を行う。本実施の形態により、ユーザがあらかじめアラーム発生時に発信したい相手を設定し、アラーム発生時に自動的に発信を行うことが出来る。
【００８５】
（実施の形態５）
次に、図５に実施の形態５にかかる電話機器の構成例を示すブロック図を示す。図５において、本実施形態の電話機器５は、例えば一般の電話システムに相当するものであり、かつ電話機器１または電話機器２に番号入力部１５４、番号記憶メモリ１５５、電話発信部１５６、音声録音部１５７、音声再生部１５８を具備した構成となっている。
【００８６】
番号入力部１５４ではアラーム部１１２でアラームを発生させると同時に電話発信部１５６が発信する電話番号を設定する。設定内容はユーザが直接入力するほか、スクリプトによって入力することも考えられる。設定された番号は番号記憶メモリ１５５に記憶される。
【００８７】
音声録音部１５７ではアラーム部１１２でアラームを発生させると同時に電話発信部１５６が電話発信を行った際に、音声再生部１５８が音声を再生する為の音声を録音する。設定内容はユーザが直接音声を録音する他、別途録音しておいた音声を選択するという方法も含む。
【００８８】
電話発信部１５６では、アラーム部１１２でアラームを発生させると同時に番号記憶メモリ１５５に記憶された番号に発信を行う。音声再生部では音声発信部１５６が発信を行った際に、音声録音部１５７で録音した音声を再生する。
【００８９】
本実施の形態により、ユーザがあらかじめアラーム発生時に発信したい相手を設定し、また、用件を録音することが出来る。アラーム発生時には自動的に発信を行い、その用件を自動的に伝えることが可能になる。
【００９０】
（実施の形態６）
次に、図６に実施の形態６にかかる電話機器の構成例を示すブロック図を示す。図６において、本実施形態の電話機器６は、例えば一般の電話システムに相当するものであり、かつ電話機器１または電話機器２に番号入力部１５４、番号記憶メモリ１５５、番号表示部１５９を具備した構成となっている。
【００９１】
番号入力部１５４ではアラーム部１１２でアラームを発生させると同時に電話発信部１５６が発信する電話番号を設定する。設定内容はユーザが直接入力するほか、スクリプトによって入力することも考えられる。設定された番号は番号記憶メモリ１５５に記憶される。
【００９２】
番号表示部１５９では、アラーム部１１２でアラームを発生させると同時に番号記憶メモリ１５５に記憶された番号をユーザに表示する。ユーザは番号を確認して発信ボタンを押下すると番号表示部１５９に表示された番号に対し発信を行うことが出来る。
【００９３】
本実施の形態により、ユーザがあらかじめアラーム発生時に発信したい相手を設定し、アラーム発生時にユーザに発信を促すことが出来る。実施の形態４の場合、ユーザがアラームに気付かなかった場合や、気付いても通話の準備が出来なかった場合には発信相手に発信を行っても通話が出来ないが、本実施の形態によりユーザが通話の準備を整えてから発信を行うことが出来る。
【００９４】
（実施の形態７）
次に、図７に実施の形態７にかかる電話機器の構成例を示すブロック図を示す。本図７において、本実施形態の電話機器７は、例えば一般の電話システムに相当するものであり、かつ電話機器１または電話機器２にあて先入力部１６０、あて先記憶メモリ１６１、メール入力部１６２、メール記憶メモリ１６３、メール送信部１６４を具備した構成となっている。
【００９５】
あて先入力部１６０ではアラーム部１１２でアラームを発生させると同時にメール送信部１６４がメールを送信する相手先メールアドレスを設定する。設定内容はユーザが直接入力するほか、スクリプトによって入力することも考えられる。設定されたメールアドレスはあて先記憶メモリ１６１に記憶される。
【００９６】
メール入力部１６２ではアラーム部１１２でアラームを発生させると同時にメール送信部１６４がメールを送信するメールの題名及び本文を設定する。設定内容はユーザが直接入力するほか、スクリプトによって入力することも考えられる。設定されたメールの題名及び本文はメール記憶メモリ１６３に記憶される。
【００９７】
本実施の形態により、ユーザがあらかじめアラーム発生時に送信したいメールを設定し、アラーム発生時に自動的にメール送信を行うことが出来る。
【００９８】
なお、上記の各実施の形態では、一般の電話機器を例に電話システムとして説明したが、ＰＢＸや移動電話システム、個人携帯の電話システム、自動車電話システムにおいても同様に実施できる。
【００９９】
また、近年では音声通話だけではなくテレビ電話も普及し始めているが、テレビ電話においても同様に実施できる。
【０１００】
また、イベントに関する設定情報、検出開始時刻、検出完了時刻、アラーム設定時刻、条件設定情報、イベント検出結果、表示テキスト、発信電話番号、再生用音声、あて先メールアドレス、送信メール内容の情報を特定したメモリ部や設定部で記録する必要はなく、大容量メモリに一纏めで記録しても、別々なメモリに記録しお互いをバス通信などで関連付けても、同様に実施できる。
【０１０１】
以上の説明より明らかなように、本発明の条件付アラーム機能を有する電話機器によれば、アラームの必要がなくなったときにユーザがアラームを解除したり、必要のなくなったアラームが発生してしまうことを防止したりすることができ、ユーザの利便性を向上することが出来る。更に、アラーム毎にあらかじめ設定した文字列を表示する、設定した番号へ自動発信する、メールを自動送信するといった機能と組み合わせることでユーザが行いたい行動を忘れることなく更に利便性が向上する。
【産業上の利用可能性】
【０１０２】
本発明の情報端末機器によれば、ユーザにとって真に必要なときのみアラーム報知を行うことができる。
【図面の簡単な説明】
【０１０３】
【図１】本実施の形態１の電話機器の概略構成図
【図２】本実施の形態２の電話機器の概略構成図
【図３】本実施の形態３の電話機器の概略構成図
【図４】本実施の形態４の電話機器の概略構成図
【図５】本実施の形態５の電話機器の概略構成図
【図６】本実施の形態６の電話機器の概略構成図
【図７】本実施の形態７の電話機器の概略構成図
【図８】本実施の形態１の電話機器の処理手順を示すフローチャート
【図９】本実施の形態２の電話機器の処理手順を示すフローチャート
【符号の説明】
【０１０４】
２０        制御部
１０１      イベント設定部
１０２      検出開始時刻設定部
１０３      検出完了時刻設定部
１０４      アラーム時刻設定部
１０５      条件設定部
１０６      検出開始タイマー部
１０７      イベント検出部
１０８      検出結果記憶部
１０９      検出完了タイマー部
１１０      アラームタイマー部
１１１      判定部
１１２      アラーム部
【図１】
2007028083.tif 000003
【図２】
2007028083.tif 000004
【図３】
2007028083.tif 000005
【図４】
2007028083.tif 000006
【図５】
2007028083.tif 000007
【図６】
2007028083.tif 000008
【図７】
2007028083.tif 000009
【図８】
2007028083.tif 000010
【図９】
2007028083.tif 000011